(57)【要約】【課題】他人の印刷物を持ち去った可能性がある人を漏れなく特定し、返却等を促すことができる、画像形成装置の出力物の持去者の認識システムを提供する。【解決手段】所定のユーザー情報を用いて、画像形成装置に近づいた人を特定する特定部と、特定された人を記憶する記憶部と、記憶された人の少なくともいずれかを、ユーザーの印刷ジョブに基づいて画像形成された記録媒体を持ち去った候補者として認識する認識部と、認識された候補者に、画像形成された記録媒体の持ち去りに関するメッセージを通知する通知部と、を有する。【選択図】図７
2019166643.tif 000002
【特許請求の範囲】
【請求項１】
所定のユーザー情報を用いて、画像形成装置に近づいた人を特定する特定部と、
前記特定部により特定された前記人を記憶する記憶部と、
前記記憶部に記憶された前記人の少なくともいずれかを、ユーザーの印刷ジョブに基づいて前記画像形成装置により画像形成された出力物を持ち去った候補者として認識する認識部と、
前記認識部により認識された前記候補者に、前記画像形成装置により画像形成された前記出力物の持ち去りに関するメッセージを通知する通知部と、
を有する、画像形成装置の出力物の持去者の認識システム。
【請求項２】
前記認識部は、前記記憶部に記憶された前記人のうち、前記出力物を持ち去られた前記ユーザーにより指定された前記人を前記候補者として認識し、
前記通知部は、前記メッセージに前記出力物を持ち去られた前記ユーザーに関する情報を含めて通知する、
請求項１に記載の認識システム。
【請求項３】
前記認識システムは前記画像形成装置に組み込まれ、
前記特定部が前記画像形成装置に近づいた前記人を特定するための条件は、前記画像形成装置ごとにユーザーにより設定される、請求項１または２に記載の認識システム。
【請求項４】
前記特定部は、前記画像形成装置との距離が所定の閾値以下となった前記人を、前記画像形成装置に近づいた前記人として特定する、請求項１〜３のいずれか一項に記載の認識システム。
【請求項５】
前記特定部は、前記画像形成装置にログインした認証データ、および前記画像形成装置を含む範囲を撮影する監視カメラの撮影画像の少なくともいずれかを用いて前記画像形成装置に近づいた人を特定する、請求項１〜３のいずれか一項に記載の認識システム。
【請求項６】
前記特定部は、顔認証および音声認証の少なくともいずれかにより前記画像形成装置にログインした認証データを用いて前記画像形成装置に近づいた人を特定する、請求項５に記載の認識システム。
【請求項７】
前記特定部により特定された前記人に関する情報のリストを、前記リストに表示された前記情報の少なくともいずれかを前記ユーザーにより選択可能に表示する表示部をさらに有し、
前記認識部は、前記ユーザーにより選択された前記情報に関する前記人を、前記候補者として認識する、請求項１に記載の認識システム。
【請求項８】
前記特定部は、前記画像形成装置との距離が所定の閾値以下となった前記人を、前記画像形成装置に近づいた前記人として特定し、
前記リストは、前記距離が前記所定の閾値以下となった時刻、および前記距離が前記所定の閾値以下範囲となっていた時間の少なくともいずれかが、前記人に関する情報として含まれる、請求項７に記載の認識システム。
【請求項９】
前記特定部により特定された前記人に関する情報のリストを、前記印刷ジョブを実行したユーザーの端末へ送信して、前記リストに表示された前記情報の少なくともいずれかを前記ユーザーにより選択可能に前記端末に表示させるとともに、前記ユーザーにより選択された前記情報を前記端末から受信する通信部をさらに有し、
前記認識部は、前記端末から受信された前記情報に関する前記人を、前記候補者として認識する、請求項１に記載の認識システム。
【請求項１０】
排紙トレイに排出された、画像形成された前記出力物を検出する検出部をさらに有し、
前記認識部は、前記印刷ジョブが実行された後、前記検出部により前記出力物が検出されてから前記出力物が検出されなくなるまでの間に、前記特定部により特定された人が、前記印刷ジョブを実行した前記ユーザーと異なる場合、前記印刷ジョブを実行した前記ユーザーを、前記出力物を持ち去られた前記ユーザーとして認識するとともに、前記印刷ジョブが実行された後、前記検出部により前記出力物が検出されてから前記出力物が検出されなくなるまでの間に、前記特定部により特定された人を、前記候補者として認識する、請求項１に記載の認識システム。
【請求項１１】
排紙トレイに排出された、画像形成された前記出力物を検出する検出部をさらに有し、
前記認識部は、前記検出部により前記出力物が検出されていない間に、すでに実行された前記印刷ジョブと同じ前記印刷ジョブが実行された場合、前記印刷ジョブを実行したユーザーを、前記出力物を持ち去られた前記ユーザーとして認識し、
前記通知部は、前記メッセージに、認識した、前記出力物を持ち去られた前記ユーザーに関する情報を含めて通知する、請求項１に記載の認識システム。
【請求項１２】
排紙トレイに排出された、画像形成された前記出力物を検出する検出部をさらに有し、
前記認識部は、前記印刷ジョブが実行されていない間に、前記検出部により新たに前記出力物が検出された場合、前記検出部による検出結果に基づいて、前記新たに検出された前記出力物に画像形成した印刷ジョブを実行した前記ユーザーを認識するとともに、前記検出部により新たに前記出力物が検出された際に前記特定部により特定された前記人を前記候補者として認識し、
前記通知部は、前記認識部により認識された前記ユーザーへ、前記認識部により認識された前記候補者の情報をさらに通知する、請求項１に記載の認識システム。
【請求項１３】
前記ユーザーに関する情報には、前記ユーザーの座席案内図が含まれる、請求項２に記載の認識システム。
【請求項１４】
前記通知部は、前記印刷ジョブを実行した前記ユーザーから前記印刷ジョブにより画像形成された前記出力物が不要であるとの指示があった場合、または前記印刷ジョブと同じ前記印刷ジョブが実行された場合、前記出力物の持ち去りに関するメッセージとして、前記出力物の破棄を希望することを通知する、請求項１〜１３のいずれか一項に記載の認識システム。
【請求項１５】
前記通知部は、前記ユーザーによる前記印刷ジョブが、所定数以上のページを画像形成する他の印刷ジョブの間で実行される場合、前記印刷ジョブの実行により画像形成される前記出力物が持ち去られる可能性があることを、前記印刷ジョブを実行する前記ユーザーへさらに通知する、請求項１〜１４に記載の認識システム。
【請求項１６】
前記通知部は、前記ユーザーによる前記印刷ジョブが、１人の他のユーザーによる複数の印刷ジョブの間で実行される場合、前記印刷ジョブの実行により画像形成された前記出力物が持ち去られる可能性があることを、前記印刷ジョブの実行前に前記ユーザーへさらに通知する、請求項１〜１５に記載の認識システム。
【請求項１７】
所定のユーザー情報を用いて、前記画像形成システムに近づいた人を特定する段階（ａ）と、
特定された前記人を記憶する段階（ｂ）と、
記憶された前記人の少なくともいずれかを、ユーザーの印刷ジョブに基づいて前記画像形成装置により画像形成された出力物を持ち去った候補者として認識する段階（ｃ）と、
認識された前記候補者に、前記出力物の取り違いに関するメッセージを通知する段階（ｄ）と、
を有する、前記画像形成システムからの出力物の持去者の認識方法。
【請求項１８】
画像形成装置からの出力物の持去者の認識プログラムであって、
所定のユーザー情報を用いて、前記画像形成装置に近づいた人を特定する手順（ａ）と、
特定された前記人を記憶する手順（ｂ）と、
記憶された前記人の少なくともいずれかを、ユーザーの印刷ジョブに基づいて前記画像形成装置により画像形成された出力物を持ち去った候補者として認識する手順（ｃ）と、
認識された前記候補者に、前記出力物の取り違いに関するメッセージを通知する手順（ｄ）と、
をコンピュータに実行させるためのプログラム。
【発明の詳細な説明】
【技術分野】
【０００１】
本発明は、画像形成装置の出力物の持去者の認識システム、認識方法、および認識プログラムに関する。
【背景技術】
【０００２】
会社のオフィス等においては、ＭＦＰ（Ｍｕｌｔｉ  Ｆｕｎｃｔｉｏｎ  Ｐｅｒｉｐｈｅｒａｌｓ）等の画像形成装置に、ネットワークを介して複数のユーザー端末を接続することで、複数のユーザーにより画像形成装置の利用を可能にするシステムが構築されている。
【０００３】
ところで、印刷ジョブを実行したユーザーは、画像形成装置の排紙トレイから画像形成装置の出力物である印刷物を取得する際、同じ排紙トレイに排紙された後発の印刷ジョブによる他人の印刷物も自分の印刷物と一緒に持ち去ってしまう場合がある。また、後発の印刷ジョブを実行したユーザーが、先発の印刷ジョブによる他人の印刷物が排紙トレイに残っていることに気付かずに自分の印刷物と取り違えてしまう場合もある。
【０００４】
このような他人の印刷物の持ち去りに対して、当該他人への印刷物の返却を促すための技術としては下記特許文献１に記載されたものがある。すなわち、画像形成装置にログインしたユーザーが実行した印刷ジョブの履歴情報を表示し、履歴情報の中からユーザーにより問い合わせ対象として指定された印刷ジョブと同じ排紙トレイに印刷物を出力した印刷ジョブの実行者等へ問い合わせメッセージを通知する。これにより、他人の印刷ジョブの履歴情報を表示させることなく、印刷物を取り戻すことができる。
【先行技術文献】
【特許文献】
【０００５】
【特許文献１】特開２００８−２２１６２６号公報
【発明の概要】
【発明が解決しようとする課題】
【０００６】
しかし、排紙トレイ上にある印刷物は、印刷ジョブを実行していない人も接触できる。したがって、他人の印刷物を持ち去った可能性がある人は、印刷ジョブを実行したユーザーに限らず、画像形成装置に近づいた人全員と考えられる。特許文献１に記載された技術は、他人の印刷物を持ち去った人が、印刷ジョブの実行により履歴に残ったユーザー以外である場合に対応できないという問題がある。
【０００７】
本発明は、このような問題を解決するためになされたものである。すなわち、他人の印刷物を持ち去った可能性がある人を漏れなく特定し、返却を促すこと等ができる。
【課題を解決するための手段】
【０００８】
本発明の上記課題は、以下の手段によって解決される。
【０００９】
（１）所定のユーザー情報を用いて、画像形成装置に近づいた人を特定する特定部と、前記特定部により特定された前記人を記憶する記憶部と、前記記憶部に記憶された前記人の少なくともいずれかを、ユーザーの印刷ジョブに基づいて前記画像形成装置により画像形成された出力物を持ち去った候補者として認識する認識部と、前記認識部により認識された前記候補者に、前記画像形成装置により画像形成された前記出力物の持ち去りに関するメッセージを通知する通知部と、を有する、画像形成装置の出力物の持去者の認識システム。
【００１０】
（２）前記認識部は、前記記憶部に記憶された前記人のうち、前記出力物を持ち去られた前記ユーザーにより指定された前記人を前記候補者として認識し、前記通知部は、前記メッセージに前記出力物を持ち去られた前記ユーザーに関する情報を含めて通知する、上記（１）に記載の認識システム。
【００１１】
（３）前記認識システムは前記画像形成装置に組み込まれ、前記特定部が前記画像形成装置に近づいた前記人を特定するための条件は、前記画像形成装置ごとにユーザーにより設定される、上記（１）または（２）に記載の認識システム。
【００１２】
（４）前記特定部は、前記画像形成装置との距離が所定の閾値以下となった前記人を、前記画像形成装置に近づいた前記人として特定する、上記（１）〜（３）のいずれかに記載の認識システム。
【００１３】
（５）前記特定部は、前記画像形成装置にログインした認証データ、および前記画像形成装置を含む範囲を撮影する監視カメラの撮影画像の少なくともいずれかを用いて前記画像形成装置に近づいた人を特定する、上記（１）〜（３）のいずれかに記載の認識システム。
【００１４】
（６）前記特定部は、顔認証および音声認証の少なくともいずれかにより前記画像形成装置にログインした認証データを用いて前記画像形成装置に近づいた人を特定する、上記（５）に記載の認識システム。
【００１５】
（７）前記特定部により特定された前記人に関する情報のリストを、前記リストに表示された前記情報の少なくともいずれかを前記ユーザーにより選択可能に表示する表示部をさらに有し、前記認識部は、前記ユーザーにより選択された前記情報に関する前記人を、前記候補者として認識する、上記（１）に記載の認識システム。
【００１６】
（８）前記特定部は、前記画像形成装置との距離が所定の閾値以下となった前記人を、前記画像形成装置に近づいた前記人として特定し、前記リストは、前記距離が前記所定の閾値以下となった時刻、および前記距離が前記所定の閾値以下範囲となっていた時間の少なくともいずれかが、前記人に関する情報として含まれる、上記（７）に記載の認識システム。
【００１７】
（９）前記特定部により特定された前記人に関する情報のリストを、前記印刷ジョブを実行したユーザーの端末へ送信して、前記リストに表示された前記情報の少なくともいずれかを前記ユーザーにより選択可能に前記端末に表示させるとともに、前記ユーザーにより選択された前記情報を前記端末から受信する通信部をさらに有し、前記認識部は、前記端末から受信された前記情報に関する前記人を、前記候補者として認識する、上記（１）に記載の認識システム。
【００１８】
（１０）排紙トレイに排出された、画像形成された前記出力物を検出する検出部をさらに有し、前記認識部は、前記印刷ジョブが実行された後、前記検出部により前記出力物が検出されてから前記出力物が検出されなくなるまでの間に、前記特定部により特定された人が、前記印刷ジョブを実行した前記ユーザーと異なる場合、前記印刷ジョブを実行した前記ユーザーを、前記出力物を持ち去られた前記ユーザーとして認識するとともに、前記印刷ジョブが実行された後、前記検出部により前記出力物が検出されてから前記出力物が検出されなくなるまでの間に、前記特定部により特定された人を、前記候補者として認識する、上記（１）に記載の認識システム。
【００１９】
（１１）排紙トレイに排出された、画像形成された前記出力物を検出する検出部をさらに有し、前記認識部は、前記検出部により前記出力物が検出されていない間に、すでに実行された前記印刷ジョブと同じ前記印刷ジョブが実行された場合、前記印刷ジョブを実行したユーザーを、前記出力物を持ち去られた前記ユーザーとして認識し、前記通知部は、前記メッセージに、認識した、前記出力物を持ち去られた前記ユーザーに関する情報を含めて通知する、上記（１）に記載の認識システム。
【００２０】
（１２）排紙トレイに排出された、画像形成された前記出力物を検出する検出部をさらに有し、前記認識部は、前記印刷ジョブが実行されていない間に、前記検出部により新たに前記出力物が検出された場合、前記検出部による検出結果に基づいて、前記新たに検出された前記出力物に画像形成した印刷ジョブを実行した前記ユーザーを認識するとともに、前記検出部により新たに前記出力物が検出された際に前記特定部により特定された前記人を前記候補者として認識し、前記通知部は、前記認識部により認識された前記ユーザーへ、前記認識部により認識された前記候補者の情報をさらに通知する、上記（１）に記載の認識システム。
【００２１】
（１３）前記ユーザーに関する情報には、前記ユーザーの座席案内図が含まれる、上記（２）に記載の認識システム。
【００２２】
（１４）前記通知部は、前記印刷ジョブを実行した前記ユーザーから前記印刷ジョブにより画像形成された前記出力物が不要であるとの指示があった場合、または前記印刷ジョブと同じ前記印刷ジョブが実行された場合、前記出力物の持ち去りに関するメッセージとして、前記出力物の破棄を希望することを通知する、上記（１）〜（１３）のいずれかに記載の認識システム。
【００２３】
（１５）前記通知部は、前記ユーザーによる前記印刷ジョブが、所定数以上のページを画像形成する他の印刷ジョブの間で実行される場合、前記印刷ジョブの実行により画像形成される前記出力物が持ち去られる可能性があることを、前記印刷ジョブを実行する前記ユーザーへさらに通知する、上記（１）〜（１４）に記載の認識システム。
【００２４】
（１６）前記通知部は、前記ユーザーによる前記印刷ジョブが、１人の他のユーザーによる複数の印刷ジョブの間で実行される場合、前記印刷ジョブの実行により画像形成された前記出力物が持ち去られる可能性があることを、前記印刷ジョブの実行前に前記ユーザーへさらに通知する、上記（１）〜（１５）に記載の認識システム。
【００２５】
（１７）所定のユーザー情報を用いて、前記画像形成システムに近づいた人を特定する段階（ａ）と、特定された前記人を記憶する段階（ｂ）と、記憶された前記人の少なくともいずれかを、ユーザーの印刷ジョブに基づいて前記画像形成装置により画像形成された出力物を持ち去った候補者として認識する段階（ｃ）と、認識された前記候補者に、前記出力物の取り違いに関するメッセージを通知する段階（ｄ）と、を有する、前記画像形成システムからの出力物の持去者の認識方法。
【００２６】
（１８）画像形成装置からの出力物の持去者の認識プログラムであって、所定のユーザー情報を用いて、前記画像形成装置に近づいた人を特定する手順（ａ）と、特定された前記人を記憶する手順（ｂ）と、記憶された前記人の少なくともいずれかを、ユーザーの印刷ジョブに基づいて前記画像形成装置により画像形成された出力物を持ち去った候補者として認識する手順（ｃ）と、認識された前記候補者に、前記出力物の取り違いに関するメッセージを通知する手順（ｄ）と、をコンピュータに実行させるためのプログラム。
【発明の効果】
【００２７】
画像形成装置に近づいた人を特定し、特定した人のいずれかを印刷物を持ち去った候補者として認識し、候補者へメッセージを通知する。これにより、他人の印刷物を持ち去った可能性がある人を漏れなく特定し、返却を促すこと等ができる。
【図面の簡単な説明】
【００２８】
【図１】画像形成装置の出力物の持去者の認識システムが組み込まれた画像形成装置を含む、画像形成システムを示す概略構成図である。
【図２】画像形成装置の構成を示す概略図である。
【図３】画像形成装置の構成を示すブロック図である。
【図４】画像形成装置の制御部の機能を示すブロック図である。
【図５】他人の印刷物が持ち去られるケースを説明するための説明図である。
【図６】認識システムにより、他人の印刷物を持ち去ったユーザーを特定し、当該他人への返却を促す例を説明するための説明図である。
【図７】認識システムの動作を示すフローチャートである。
【発明を実施するための形態】
【００２９】
以下、図面を参照して、本発明の実施形態に係る、画像形成装置の出力物の持去者の認識システム、認識方法、および認識プログラムについて説明する。なお、図面において、同一の要素には同一の符号を付し、重複する説明を省略する。また、図面の寸法比率は、説明の都合上誇張されており、実際の比率とは異なる場合がある。
【００３０】
図１は、画像形成装置の出力物の持去者の認識システムが組み込まれた画像形成装置を含む、画像形成システムを示す概略構成図である。画像形成装置の出力物の持去者の認識システム（以下、単に「認識システム」と称する）が画像形成装置１００に組み込まれる形態としては、画像形成装置に、認識システムの機能を実現するためのプログラムがインストールされることで、当該プログラムにしたがって、画像形成装置１００のハードウェアが動作し、認識システムの機能を実現することが含まれる。以下の説明においては、認識システムが、画像形成装置１００に組み込まれているものとして説明する。しかし、認識システムは、画像形成装置１００とは別の装置としても構成し得る。画像形成システム１０は、画像形成装置１００のみにより構成されてもよい。
【００３１】
画像形成システム１０は、たとえば複数の画像形成装置１００、複数のユーザーの端末であるパーソナルコンピュータ２００、および複数のユーザーの携帯端末３００を有する。パーソナルコンピュータ２００および携帯端末３００は、端末を構成する。なお、以下の説明においては、パーソナルコンピュータ２００を「端末」と称し、携帯端末３００と区別する。画像形成装置１００と端末２００は、ネットワークを介して互いに通信可能に接続されている。画像形成装置１００と携帯端末３００とは、Ｂｌｕｅｔｏｏｔｈ（登録商標）等を利用した近距離無線システムでペアリングすることにより互いに通信可能に接続される。
【００３２】
端末２００がそれぞれ割り当てられたユーザーは、それぞれ端末２００から印刷ジョブを、いずれかの画像形成装置１００へ送信し、画像形成装置１００に印刷ジョブを実行させて、画像形成された記録媒体である印刷物を出力させる。記録媒体には用紙や樹脂フィルム等が含まれる。印刷物は出力物を構成する。以下の説明では、記録媒体が用紙であるとして説明する。
【００３３】
印刷ジョブとは、画像形成装置１００に対する印刷命令の総称であり、印刷データおよび印刷設定が含まれる。印刷データとは、印刷の対象である文書のデータであり、印刷データには、たとえば、イメージデータ、ベクタデータ、テキストデータといった各種データが含まれ得る。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データであり得る。印刷設定とは、用紙への画像形成に関する設定であり、たとえば、ページ数、印刷部数、紙種、カラーまたはモノクロの選択、およびページ割付などの各種設定が含まれる。
【００３４】
図２は、画像形成装置の構成を示す概略図である。図３は、画像形成装置の構成を示すブロック図である。
【００３５】
画像形成装置１００は、制御部１１０、記憶部１２０、通信部１３０、操作表示部１４０、画像読取部１５０、画像制御部１６０、および画像形成部１７０を有する。これらの構成要素は、バス１８０により互いに通信可能に連結されている。画像形成装置１００は、ＭＦＰにより構成され得る。制御部１１０、記憶部１２０、および通信部１３０は、認識システム１１を構成する。
【００３６】
制御部１１０は、ＣＰＵ（Ｃｅｎｔｒａｌ  Ｐｒｏｃｅｓｓｉｎｇ  Ｕｎｉｔ）および各種メモリを備えており、プログラムにしたがって上記各部の制御や各種の演算処理を行う。制御部１１０の機能の詳細については後述する。
【００３７】
記憶部１２０は、ＳＤＤ（Ｓｏｌｉｄ  Ｓｔａｔｅ  Ｄｒｉｖｅ）またはＨＤＤ（Ｈａｒｄ  Ｄｉｓｃ  Ｄｒｉｖｅ）等により構成され、各種プログラムおよび各種データを記憶する。
【００３８】
通信部１３０は、画像形成装置１００と外部機器との間で通信を行うためのインターフェースである。通信部１３０として、イーサネット（登録商標）、ＳＡＴＡ、ＩＥＥＥ１３９４などの規格によるネットワークインターフェースが用いられる。また、通信部１３０として、Ｂｌｕｅｔｏｏｔｈ（登録商標）、ＩＥＥＥ８０２．１１などの無線通信インターフェースなどの各種ローカル接続インターフェースなどが用いられる。
【００３９】
操作表示部１４０は、タッチパネル、テンキー、スタートボタン、およびストップボタン等を備えており、各種情報の表示および各種指示の入力に使用される。
【００４０】
画像読取部１５０は、蛍光ランプなどの光源およびＣＣＤ（Ｃｈａｒｇｅ  Ｃｏｕｐｌｅｄ  Ｄｅｖｉｃｅ）イメージセンサーなどの撮像素子を有する。画像読取部１５０は、所定の読み取り位置にセットされた原稿に光源から光を当て、その反射光を撮像素子で光電変換して、その電気信号から画像データを生成する。
【００４１】
画像制御部１６０は、通信部１３０により受信された印刷ジョブに含まれる印刷データのレイアウト処理およびラスタライズ処理を行い、ビットマップ形式の画像データを生成する。
【００４２】
画像形成部１７０は、作像部４０、定着部５０、給紙部６０、および用紙搬送部７０を有する。
【００４３】
作像部４０は、Ｙ（イエロー）、Ｍ（マゼンタ）、Ｃ（シアン）、およびＫ（ブラック）の各色のトナーに対応した作像ユニット４１Ｙ、４１Ｍ、４１Ｃ、４１Ｋを有する。各作像ユニット４１Ｙ、４１Ｍ、４１Ｃ、４１Ｋにより、画像データに基づいて、帯電、露光、および現像のプロセスを経て形成されたトナー画像は、中間転写ベルト４２上に順次重ねられて、２次転写ローラー４３により用紙５００上に転写される。
【００４４】
定着部５０は、加熱ローラー５１および加圧ローラー５２を有し、両ローラー５１、５２の定着ニップに搬送された用紙５００を加熱および加圧して、用紙５００上のトナー画像をその表面に溶融定着する。
【００４５】
定着部５０によりトナー画像が定着された用紙５００は、印刷物（出力物）として排紙トレイ１９０に排紙される。
【００４６】
給紙部６０は、複数の給紙トレイ６１、６２を有し、給紙トレイ６１、６２に収容された用紙５００を１枚ずつ下流側の搬送経路に送り出す。
【００４７】
用紙搬送部７０は、用紙５００を搬送するための複数の搬送ローラーを有し、作像部４０、定着部５０、および給紙部６０の各部間で用紙５００を搬送する。複数の搬送ローラーには、用紙５００の傾きを矯正するためのレジストローラー７１や、用紙５００に所定量のループを形成するためのループローラー７２が含まれる。
【００４８】
用紙搬送部７０は、画像形成された用紙５００を排紙トレイ１９０に排紙する。排紙トレイ１９０には、印刷物を検出するセンサー１９１が配置される。センサー１９１は制御部１１０とともに検出部を構成する。センサー１９１は、たとえば重量センサーであり、センサー１９１により検出された重量の検出情報に基づいて、排紙トレイ１９０上の印刷物の有無を検出できる。
【００４９】
制御部１１０の機能の詳細について説明する。
【００５０】
図４は、画像形成装置の制御部の機能を示すブロック図である。なお、図４においては、説明を簡単にするために、記憶部１２０、通信部１３０、および操作表示部１４０のブロックも併せて示している。
【００５１】
記憶部１２０には、たとえば画像形成装置１００が配置されているオフィスに入室できる人のユーザー情報が登録されている。ユーザー情報には、たとえば（１）ユーザーＩＤ、（２）認証データ、（３）氏名、（４）携帯端末のＩＰアドレスまたはＭＡＣアドレス、および（５）携帯端末のメールアドレスが含まれる。また、ユーザーのオフィス内の座席案内図が含まれていてもよい。
【００５２】
特定部１１１は、通信部１３０を介して、通信部１３０とＢｌｕｅｔｏｏｔｈ（登録商標）等を利用した近距離無線システムでペアリングされた携帯端末３００の使用者を特定する情報（以下、「端末情報」と称する）を取得する。端末情報は、たとえば携帯端末３００のＩＰアドレスまたはＭＡＣアドレスである。特定部１１１は、取得した端末情報に基づいて、画像形成装置１００に近づいた人（以下、「特定人」と称する）を特定する。特定人を特定するための条件は、人と画像形成装置１００との距離が所定の閾値以下となったことである。すなわち、特定部１１１は、画像形成装置１００との距離が所定の閾値以下となった人を特定人として特定する。所定の閾値は、排紙トレイ１９０上の印刷物に接触するために必要と考えられる、画像形成装置１００との距離の最大値として、任意の距離に設定し得る。所定の閾値は、画像形成装置１００ごとに異なる値に設定され得る。
【００５３】
特定部１１１は、特定人を特定するための条件を、人と画像形成装置１００との距離が所定の閾値以下となったこと、および、人と画像形成装置１００との距離が所定の閾値以下となった時間が所定の閾値以上となったことの両方を満たすこととし得る。当該時間についての閾値は、排紙トレイ１９０上の印刷物に近づいて、印刷物を排紙トレイ１９０から取り出し、画像形成装置１００から離れるために必要と考えられる時間の最小値として、任意の距離に設定し得る。
【００５４】
画像形成装置１００との距離は、たとえば画像形成装置１００が設置されたオフィス全体を俯瞰した全方位画像を、天井に設置された魚眼レンズカメラ等の監視カメラにより撮影し、全方位画像を画像認識することで算出し得る。画像形成装置１００との距離は、携帯端末３００のＧＰＳ（Ｇｌｏｂａｌ  Ｐｏｓｉｔｉｏｎｉｎｇ  Ｓｙｓｔｅｍ）機能を利用して検出されてもよく、内蔵されている加速度センサーを併用することにより検出されてもよい。
【００５５】
特定部１１１は、通信部１３０と携帯端末３００とがペアリングされたことをもって、当該携帯端末３００の使用者を、画像形成装置１００との距離が所定の閾値以下となった特定人として特定し得る。特定部１１１は、画像形成装置１００にログインされた認証データ、および画像形成装置１００を含む範囲を撮影する監視カメラの撮影画像の少なくともいずれかを用いて特定人を特定してもよい。認証データは、ＩＤカードまたはＩＤおよびパスワードの入力によるユーザー認証、顔認証、および音声認証の少なくともいずれかの認証データであり得る。特定部１１１は、認証データに含まれるユーザーまたは認証データにより特定されるユーザーを特定人として特定できる。また、監視カメラの撮影画像の画像認識により特定人を特定できる。
【００５６】
特定部１１１は、特定人の情報を、あらかじめ記憶部１２０に登録された、特定人に対応するユーザー情報と関連付けて記憶部１２０に記憶する。特定人の情報には、特定人が使用する携帯端末３００のＩＰアドレスまたはＭＡＣアドレス等、ならびに、特定人を特定した時刻および当該特定人が特定されなくなった時刻が含まれる。あらかじめ登録されたユーザー情報に含まれる携帯端末３００のＩＰアドレス等と、特定人の情報に含まれるＩＰアドレス等を比較し、一致する場合に特定人の情報と登録されたユーザー情報とが関連付けられて記憶部１２０に記憶される。以下、特定人の情報と、当該特定人に対応するユーザー情報とを含めて特定人に関する情報と称する。
【００５７】
情報取得部１１２は、操作表示部１４０に入力されたユーザーによる指示に基づいて、記憶部１２０から、特定人に関する情報を読み出すことで取得する。当該指示は、印刷物を持ち去られたユーザーが画像形成装置１００にユーザー認証を経てログインしたときのログイン画面において、ユーザーにより入力される指示である。具体的には、印刷ジョブを実行した後に特定された特定人のリストの表示の指示である。当該印刷ジョブは、ユーザー認証における認証情報に基づいて特定されたユーザーが最後に実行した印刷ジョブであり得る。なお、印刷物を持ち去られた印刷ジョブをユーザーに選択させるための選択画面を表示して、印刷ジョブをユーザーに選択させるようにしてもよい。情報取得部１１２は、取得した特定人に関する情報のリストを、操作表示部１４０に表示させる。操作表示部１４０に表示されるリストには、たとえば特定人の氏名、画像形成装置に近づいた時刻（すなわち、特定人を特定した時刻）、および画像装置から離れた時刻（すなわち、特定人が特定されなくなった時刻）が、特定人に関する情報として、特定人ごとに表示される。なお、リストには、画像装置から離れた時刻に代えて、画像形成装置に近づいている時間が表示され得る。画像形成装置に近づいている時間は、特定人を特定した時刻と特定人が特定されなくなった時刻に基づいて算出できる。情報取得部１１２は、取得した特定人に関する情報のリストを、携帯端末３００または端末２００から画像形成装置１００にユーザー認証を経てログインしたユーザーの携帯端末３００または端末２００へ、通信部１３０を介して送信して表示させてもよい。
【００５８】
操作表示部１４０は、特定人に関する情報のリストを、当該リストに表示された特定人に関する情報の少なくともいずれかをユーザーにより選択可能に表示する。これにより、特定人のうちのいずれかがユーザーにより指定される。特定人に関する情報のリストが携帯端末３００または端末２００へ送信される場合は、携帯端末３００または端末２００において、当該リストに表示される特定人に関する情報の少なくともいずれかをユーザーにより選択可能に表示される。
【００５９】
認識部１１３は、特定人に関する情報のリストにおいて、ユーザーにより特定人に関する情報が選択されることでユーザーに指定された当該特定人を、画像形成装置１００にログインしているユーザーの印刷物を持ち去った候補者（以下、単に「候補者」とも称する）として認識する。特定人に関する情報のリストが携帯端末３００または端末２００に表示される場合は、認識部１１３は、ユーザーに選択された特定人に関する情報を、通信部１３０を介して受信する。この場合、認識部１１３は、受信した当該情報に関する特定人を、画像形成装置１００にログインしているユーザーの印刷物を持ち去った候補者として認識する。
【００６０】
認識部１１３は、特定人に関する情報のリストに挙がったすべての特定人を、画像形成装置１００にログインしているユーザーの印刷物を持ち去った候補者として認識してもよい。認識部１１３は、特定人に関する情報のリストに挙がったすべての特定人のうち、画像形成装置１００にログインしているユーザーが実行した印刷ジョブが、１人の他のユーザーの複数の印刷ジョブの間で実行された場合、当該他のユーザーを候補者として認識してもよい。同一のユーザーの印刷ジョブの間で実行される印刷ジョブによる印刷物は誤って持ち去られる可能性が高いからである。また、認識部１１３は、特定人に関する情報のリストに挙がったすべての特定人のうち、画像形成装置１００にログインしているユーザーが実行した印刷ジョブが、所定数以上のページを画像形成する他のユーザーの印刷ジョブの間で実行された場合、当該他のユーザーを候補者として認識してもよい。比較的多いページの印刷ジョブの間で実行される印刷ジョブによる印刷物は誤って持ち去られる可能性が高いからである。所定数は、持ち去られる可能性を考慮して任意の数に設定し得る。
【００６１】
認識部１１３は、候補者として認識した特定人に関する情報に基づいて、印刷物を持ち去った候補者へ通知するために必要な情報を記憶部１２０から取得する。候補者へ通知するために必要な情報には、たとえば候補者の氏名、候補者が携帯する携帯端末３００のメールアドレス等が含まれる。
【００６２】
メッセージ送信部１１４は、通信部１３０とともに通知部を構成する。メッセージ送信部１１４は、認識部１１３により取得された候補者へ通知するために必要な情報に基づいて、印刷物の持ち去りに関するメッセージを作成するとともに、通信部１３０を介して候補者へ送信させる。印刷物の持ち去りに関するメッセージは、画像形成装置１００により画像形成された記録媒体の持ち去りに関するメッセージを構成する。印刷物の持ち去りに関するメッセージには、たとえば、（１）他人の印刷物を持ち去っていないかどうかの問い合わせのメッセージ、および、（２）印刷物を持ち去られたユーザーへ当該印刷物を届けるお願いのメッセージが含まれる。（２）のメッセージに含まれる「印刷物を持ち去られたユーザー」は、印刷物を持ち去られたユーザーに関する情報に含まれる。印刷物を持ち去られたユーザーに関する情報には、たとえば、印刷物を持ち去られたユーザーの氏名、座席の位置、座席案内図が含まれる。
【００６３】
印刷物の持ち去りに関するメッセージには、印刷物の破棄をお願いするメッセージが含まれ得る。たとえば、特定人に関する情報のリストにおいて、ユーザーにより特定人に関する情報が選択されるときに、ユーザーにより印刷物が不要であるとの指示の入力が併せてされ得る。この場合、印刷物の持ち去りに関するメッセージは、印刷物を破棄するお願いのメッセージとされる。印刷物を持ち去られた印刷ジョブと同じ印刷ジョブがユーザーにより実行された場合も、印刷物の持ち去りに関するメッセージを、印刷物の破棄をお願いするメッセージとし得る。
【００６４】
認識部１１３は、その他、次のように候補者、および印刷物を持ち去られたユーザーを認識し得る。
【００６５】
認識部１１３は、排紙トレイ１９０に配置されたセンサー１９１による印刷物の重量の検出結果に基づいて、排紙トレイ１９０上の印刷物の有無を検出する。認識部１１３は、印刷ジョブが実行された後、印刷物を検出してから検出されなくなるまでの間に、特定部１１１により特定された特定人が当該印刷ジョブを実行したユーザーと異なる場合、当該印刷ジョブを実行したユーザーを、印刷物を持ち去られたユーザーと認識する。そして、当該特定人を候補者として認識する。
【００６６】
認識部１１３は、排紙トレイ１９０上の印刷物が検出されていない間に、すでに実行された印刷ジョブと同じ印刷ジョブが実行された場合、当該印刷ジョブを実行したユーザーを、印刷物を持ち去られたユーザーと認識する。この場合、メッセージ送信部１１４は、印刷物の持ち去りに関するメッセージに、認識した、印刷物を持ち去られたユーザーに関する情報を含めて候補者へ通知する。
【００６７】
認識部１１３は、印刷ジョブが実行されていない間に、排紙トレイ１９０上に新たに印刷物が検出された場合、当該印刷物のセンサー１９１による検出結果に基づいて、当該新たに検出された印刷物に画像形成した印刷ジョブを実行したユーザーを認識する。認識部１１３は、たとえば、印刷ジョブに含まれる印刷設定において設定された紙種や印刷枚数に基づき算出される重量とセンサー１９１により検出された印刷物の重量とを比較する。これにより、新たに検出された印刷物に画像形成した印刷ジョブを特定し、印刷ジョブを実行したユーザーを認識し得る。認識部１１３は、認識したユーザーへ、候補者の情報を、通信部１３０を介して通知する。この場合、候補者は、新たに印刷物が検出された際に特定された特定人とし得る。
【００６８】
図５は、他人の印刷物が持ち去られるケースを説明するための説明図である。
【００６９】
図５においては、ユーザーＡおよびユーザーＢが、それぞれ端末Ａおよび端末Ｂから同じ画像形成装置１００へ印刷ジョブを送信して、印刷物を出力させることを前提としている。
【００７０】
このケースでは、ユーザーＡがユーザーＢの印刷物を持ち去った後、他人の印刷物を持ち去ったことに気付いたユーザーＡが、排紙トレイ１９０へユーザーＢの印刷物を返却した結果、ユーザーＢの印刷物が放置されている。すなわち、（１）ユーザーＡは、端末Ａから画像形成装置１００へ印刷ジョブを送信することで、印刷ジョブを実行する。その後、（２）ユーザーＢは、端末Ｂから画像形成装置１００へ印刷ジョブを送信することで、印刷ジョブを実行する。その後、（３）ユーザーＡは、排紙トレイ１９０まで自分の印刷物を取りに行く。その後、（４）ユーザーＡは、自分の印刷物だけでなく、同じ排紙トレイに出力されていた、他人であるユーザーＢの印刷物を持ち帰ることで、ユーザーＢの印刷物の持ち去りが発生する。その後、（５）ユーザーＢは、排紙トレイ１９０に自分の印刷物がないことに気付く。その後、（６）ユーザーＢは、再度印刷ジョブを実行することで、自分の印刷物を取得する。その後、（７）ユーザーＡは、他人であるユーザーＢの印刷物を持ち去ったことに気付いて、ユーザーＢの印刷物を排紙トレイ１９０へ戻す。そのとき、ユーザーＢは、すでに自分の印刷物を取得しているため、（８）Ｂの印刷物は排紙トレイ１９０に放置される。
【００７１】
図６は、認識システムにより、他人の印刷物を持ち去ったユーザーを特定し、当該他人への返却を促す例を説明するための説明図である。なお、図６の例においても、図５のケースと同様に、ユーザーＡおよびユーザーＢが、それぞれ端末Ａおよび端末Ｂから同じ画像形成装置１００へ印刷ジョブを送信して、印刷物を出力させる場合を前提としている。
【００７２】
（１）ユーザーＡは、端末Ａから画像形成装置１００へ印刷ジョブを送信することで、印刷ジョブを実行する。その後、（２）ユーザーＢは、端末Ｂから画像形成装置１００へ印刷ジョブを送信することで、印刷ジョブを実行する。その後、（３）ユーザーＡは、排紙トレイ１９０まで自分の印刷物を取りに行く。その後、（４）ユーザーＡは、自分の印刷物だけでなく、同じ排紙トレイに出力されていた、他人であるユーザーＢの印刷物を持ち帰ることで、ユーザーＢの印刷物の持ち去りが発生する。その後、（５）ユーザーＢは、排紙トレイ１９０に自分の印刷物がないことに気付く。
【００７３】
その後、（６）ユーザーＢは、画像形成装置１００にログインし、ログイン画面において印刷ジョブを実行した後に特定された特定人に関する情報のリストの表示を指示する。これにより、特定人に関する情報のリストが操作表示部１４０に表示される。図６の例においては、特定人に関する情報として、特定人の氏名（「Ａさん」、「Ｂさん」、「Ｃさん」）が表示されている。その後、（７）ユーザーＢは、特定人に関する情報の少なくともいずれかを候補者として選択する。その後、（８）画像形成装置１００から各候補者へ、印刷物の持ち去りに関するメッセージが通知される。印刷物の持ち去りに関するメッセージとして、「印刷物を持ち去っていませんか？  Ｂさんへ届けて下さい。」というメッセージが通知されている。これにより、他人であるユーザーＢの印刷物を持ち去った可能性があることを候補者であるユーザーＡに知らせるとともに、ユーザーＢへの返却を促すことができる。したがって、（９）ユーザーＡは、持ち去った印刷物を、印刷ジョブを実行したユーザーＢへ届けることができる。
【００７４】
制御部１１０は、印刷ジョブを実行する前に印刷ジョブによる印刷物が持ち去られる可能性があることを印刷ジョブの実行者（より詳細には、印刷ジョブを画像形成装置へ送信等したユーザー）へ通知する機能をさらに有し得る。
【００７５】
制御部１１０は、一の印刷ジョブが、所定数以上のページを画像形成する他の印刷ジョブの間で実行される場合、当該一の印刷ジョブの実行により画像形成されて出力される印刷物が持ち去られる可能性があることを、当該一の印刷ジョブの実行前に当該一の印刷ジョブの実行者へ通知する。これにより、印刷ジョブの実行者に、印刷ジョブの実行前に印刷物が持ち去られる可能性があることを通知することで注意を促し得る。
【００７６】
制御部１１０は、一の印刷ジョブが、他の同一のユーザーによる印刷ジョブの間で実行される場合、当該一の印刷ジョブの実行により出力される印刷物が持ち去られる可能性があることを当該一の印刷ジョブの実行者へ通知する。これにより、印刷ジョブの実行者に印刷ジョブの実行前に印刷物が持ち去られる可能性があることを通知することで注意を促し得る。
【００７７】
認識システム１１の動作について説明する。なお、上述したように、認識システム１１は画像形成装置１００に組み込まれているため、認識システム１１の動作を画像形成装置１００の動作として説明する。
【００７８】
図７は、認識システムの動作を示すフローチャートである。本フローチャートは、画像形成装置１００の制御部１１０により、プログラムにしたがい実行され得る。
【００７９】
ユーザーにより、端末２００または携帯端末３００から印刷ジョブが画像形成装置１００へ送信されることで、印刷ジョブが実行される。
【００８０】
制御部１１０は、通信部１３０と近距離無線システムでペアリングされた携帯端末３００の端末情報を取得する（Ｓ１０１）。
【００８１】
制御部１１０は、画像形成装置１００に近づいた人がいたかどうか判断する（Ｓ１０２）。すなわち、制御部１１０は、画像形成装置１００との距離が所定の閾値以下となった特定人を特定したかどうか判断する。
【００８２】
制御部１１０は、特定人を特定していないときは（Ｓ１０２：ＮＯ）、ステップＳ１０１〜ステップＳ１０２を繰り返し実行する。
【００８３】
制御部１１０は、特定人を特定したときは（Ｓ１０２：ＹＥＳ）、特定人を記憶部１２０に記憶させる（Ｓ１０３）。なお、１人の特定人を特定できた場合でも、ステップＳ１０１〜ステップＳ１０２を繰り返し実行することで他の特定人の特定を繰り返し実行する。
【００８４】
ここで、ステップＳ１０１からステップＳ１０３の処理の間に、他の人による印刷物の持ち去りが発生したとする。そして、その後、印刷ジョブを実行したユーザーが、印刷物がないこと、すなわち誤って持ち去られたことに気がつく。
【００８５】
制御部１１０は、印刷物を持ち去られたユーザーのユーザー認証の要求に対し、ユーザー認証を実行する（Ｓ１０４）。
【００８６】
制御部１１０は、認証データからユーザーが実行した印刷ジョブを特定する。制御部１１０は、特定された印刷ジョブの実行後に特定された特定人に関する情報のリストを、特定人に関する情報の少なくともいずれかをユーザーに選択可能に操作表示部１４０に表示する（Ｓ１０５）。
【００８７】
制御部１１０は、表示されたリストにおいて特定人に関する情報が選択されたかどうか判断する（Ｓ１０６）。
【００８８】
制御部１１０は、特定人に関する情報が選択されていないと判断したときは（Ｓ１０６：ＮＯ）、ステップＳ１０５〜ステップＳ１０６を繰り返し実行する。
【００８９】
制御部１１０は、特定人に関する情報が選択されたと判断したときは（Ｓ１０６：ＹＥＳ）、選択された特定人に関する情報を操作表示部１４０から取得する（Ｓ１０７）。
【００９０】
制御部１１０は、特定人に関する情報が選択された当該特定人を、ユーザーの印刷物を持ち去った候補者として認識する（Ｓ１０８）。
【００９１】
制御部１１０は、通信部１３０を介して、候補者へ印刷物の持ち去りに関するメッセージを送信する（Ｓ１０８）。
【００９２】
本実施形態は、以下の効果を奏する。
【００９３】
画像形成装置に近づいた人を特定し、特定した人のいずれかを印刷物を持ち去った候補者として認識し、候補者へメッセージを通知する。これにより、他人の印刷物を持ち去った可能性がある人を漏れなく特定し、返却を促すこと等ができる。
【００９４】
さらに、特定した人のうち印刷物を持ち去られたユーザーにより指定された人を候補者として認識し、メッセージに印刷物を持ち去られたユーザーに関する情報を含めて通知する。これにより、印刷物を持ち去った可能性の高い人に、当該印刷物の所有者への返却を促すことができる。
【００９５】
さらに、通知システムは画像形成装置に組み込まれ、画像形成装置に近づいた人を特定するための条件は、画像形成装置ごとに設定される。これにより、画像形成装置の配置環境に柔軟に対応できるとともに、印刷物を持ち去った可能性がある人の特定範囲を適切に拡大できる。
【００９６】
さらに、画像形成装置との距離が所定の閾値以下となった人を、画像形成装置に近づいた人として特定する。これにより、印刷物を持ち去った可能性がある人の特定範囲を柔軟に設定できる。
【００９７】
さらに、画像形成装置にログインした認証データ、および画像形成装置を含む範囲を撮影する監視カメラの撮影画像の少なくともいずれかを用いて画像形成装置に近づいた人を特定する。これにより、印刷物を持ち去った可能性がある人の特定範囲を、画像形成装置の配置環境に応じて柔軟に設定できる。
【００９８】
さらに、顔認証および音声認証の少なくともいずれかにより画像形成装置にログインした認証データを用いて画像形成装置に近づいた人を特定する。これにより、印刷物を持ち去った可能性がある人の特定方法について、柔軟に対応できる。
【００９９】
さらに、画像形成装置に近づいたとして特定された人に関する情報のリストを、リストに表示された情報の少なくともいずれかをユーザーにより選択可能に表示する。そして、選択された当該情報に関する人を、候補者として認識する。これにより、印刷物を持ち去った可能性の高い人をより簡単に特定できる。
【０１００】
さらに、画像形成装置との距離が所定の閾値以下となった人を、画像形成装置に近づいた人として特定するとともに、リストに、所定の閾値以下となった時刻、および所定の閾値以下となっていた時間の少なくともいずれかを、人に関する情報として含める。これにより、印刷物を持ち去った候補者を特定するための付加情報をユーザーに提供することで、候補者を適切に特定できる。
【０１０１】
さらに、画像形成装置に近づいたとして特定された人に関する情報のリストを、印刷ジョブを実行したユーザーの端末へ送信して、リストに表示された当該情報の少なくともいずれかをユーザーにより選択可能に端末に表示させる。また、選択された情報を端末から受信して、当該情報に関する人を、候補者として認識する。これにより、画像形成装置を占有せずに、印刷物を持ち去った可能性の高い人を特定できる。
【０１０２】
さらに、排紙トレイに排出された印刷物を検出する。印刷ジョブが実行された後、印刷物が検出されてから当該印刷物が検知されなくなるまでの間に特定された人が、当該印刷ジョブを実行したユーザーと異なる場合、当該印刷ジョブを実行したユーザーを、印刷物を持ち去られたユーザーとして認識する。そして、当該印刷ジョブが実行された後、当該印刷物が検出されてから検出されなくなるまでの間に特定された人を、候補者として認識する。これにより、印刷物を持ち去られたユーザーが持ち去られたことに気付かない場合に対応できる。
【０１０３】
さらに、排紙トレイにおいて印刷物が検出されていない間に、すでに実行された印刷ジョブと同じ印刷ジョブが実行された場合、当該印刷ジョブを実行したユーザーを、印刷物を持ち去られたユーザーとして認識する。これにより、印刷物を持ち去られたユーザーを精度よく特定できる。
【０１０４】
さらに、印刷ジョブが実行されていない間に、新たに印刷物が検出された場合、当該新たに検出された印刷物に基づいて当該印刷物に画像形成した印刷ジョブを実行したユーザーを認識するとともに、新たに印刷物が検出されたときに特定された人を候補者として認識する。そして、認識されたユーザーへ、認識された候補者の情報を含むメッセージを通知する。これにより、他人の印刷物を持ち去った人を特定する際の判断材料を提供できる。
【０１０５】
さらに、候補に通知するメッセージに含まれるユーザーに関する情報に、ユーザーの座席案内図を含める。これにより、印刷物を持ち去られたユーザーは印刷物をより確実に受け取ることができる。
【０１０６】
さらに、ユーザーから印刷ジョブにより画像形成された印刷物が不要であるとの指示があった場合、または当該印刷ジョブと同じ印刷ジョブが実行された場合、メッセージとして、印刷物の破棄を希望することを通知する。これにより、ユーザーがすでに再印刷等により印刷物が不要になった場合に対応できる。
【０１０７】
さらに、ユーザーによる印刷ジョブが、所定数以上のページを画像形成する他の印刷ジョブの間で実行される場合、印刷ジョブによる印刷物が持ち去られる可能性があることを、当該印刷ジョブの実行前に当該ユーザーへ通知する。これにより、印刷物の持ち去りを未然に防止できる。
【０１０８】
さらに、ユーザーによる印刷ジョブが、他の同一のユーザーによる印刷ジョブの間で実行される場合、当該印刷ジョブによる印刷物が持ち去られる可能性があることを、当該印刷ジョブの実行前に当該ユーザーへ通知する。これにより、印刷物の持ち去りを未然に防止できる。
【０１０９】
本発明は、上述した実施形態に限定されない。
【０１１０】
たとえば、実施形態においてプログラムにより実行される処理の一部または全部を回路などのハードウェアに置き換えて実行され得る。
【符号の説明】
【０１１１】
１０  画像形成システム、
１１  認識システム、
１００  画像形成装置、
１１０  制御部、
１１１  特定部、
１１２  情報取得部、
１１３  認識部、
１１４  メッセージ送信部、
１２０  記憶部、
１３０  通信部、
１４０  操作表示部、
１５０  画像読取部、
１６０  画像制御部、
１７０  画像形成部、
１９０  排紙トレイ、
１９１  センサー、
５００  用紙。
【図１】
2019166643.tif 000003
【図２】
2019166643.tif 000004
【図３】
2019166643.tif 000005
【図４】
2019166643.tif 000006
【図５】
2019166643.tif 000007
【図６】
2019166643.tif 000008
【図７】
2019166643.tif 000009